(57)【特許請求の範囲】
【請求項１】
光源を含む光源ユニットから標本面に至る照明光の光路中に配置される顕微鏡アダプタユニットであって、
少なくとも１つのレンズからなる第１のレンズ群と、
少なくとも１つのレンズからなる第２のレンズ群を含み、
前記第１のレンズ群は、前記照明光を平行光束に変換し、且つ、前記照明光を前記第２のレンズ群に入射させ、
前記顕微鏡アダプタユニットは、
前記光源からの前記照明光を収束または平行にする光学系を備える前記光源ユニットと顕微鏡本体との間に配置され、
アフォーカル光学系を含み、
前記第１のレンズ群と前記第２のレンズ群の間に、光学素子または光学素子を含む光学ユニットを着脱することを特徴とする顕微鏡アダプタユニット。
【請求項２】
請求項１に記載の顕微鏡アダプタユニットにおいて、
前記第１のレンズ群は、平行光束として前記顕微鏡アダプタユニットに入射する前記照明光を、平行光束に変換することを特徴とする顕微鏡アダプタユニット。
【請求項３】
請求項１または請求項２に記載の顕微鏡アダプタユニットにおいて、
前記第１のレンズ群により前記平行光束に変換された前記照明光の光束径は、前記顕微鏡アダプタユニットへ入射する照明光の光束径、及び、前記顕微鏡アダプタユニットから射出される照明光の光束径よりも小さいことを特徴とする顕微鏡アダプタユニット。
【請求項４】
請求項１乃至請求項３のいずれか１項に記載の顕微鏡アダプタユニットにおいて、
前記第１のレンズ群と前記第２のレンズ群の間の距離が変化することを特徴とする顕微鏡アダプタユニット。
【請求項５】
請求項４に記載の顕微鏡アダプタユニットにおいて、さらに、
前記第１のレンズ群を含む第１のアダプタと、
前記第２のレンズ群を含む第２のアダプタと、を含み、
前記顕微鏡アダプタユニットは、前記第１のレンズ群と前記第２のレンズ群の間で、前記第１のアダプタと前記第２のアダプタに分割されることを特徴とする顕微鏡アダプタユニット。
【請求項６】
請求項４に記載の顕微鏡アダプタユニットにおいて、さらに、
前記第１のレンズ群を含む第１のアダプタと、
前記第２のレンズ群を含む第２のアダプタと、
前記第１のアダプタを前記第２のアダプタに対して相対的に移動させるガイドレールと、を含むことを特徴とする顕微鏡アダプタユニット。
【請求項７】
請求項１乃至請求項６のいずれか１項に記載の顕微鏡アダプタユニットにおいて、
前記アフォーカル光学系は、前記光源ユニット側から順に、
前記第１のレンズ群に含まれる、正のパワーを有する第３のレンズと、
前記第１のレンズ群に含まれる、負のパワーを有する第１のレンズと、
前記第２のレンズ群に含まれる、負のパワーを有する第２のレンズと、
前記第２のレンズ群に含まれる、正のパワーを有する第４のレンズと、を含むことを特徴とする顕微鏡アダプタユニット。
【請求項８】
請求項５に記載の顕微鏡アダプタユニットにおいて、
複数の前記第１のアダプタを含み、
前記第１のアダプタの各々は、それぞれ異なる光源ユニットに装着されることを特徴とする顕微鏡アダプタユニット。
【請求項９】
光源ユニットから標本面に至る照明光の光路中に配置される顕微鏡アダプタユニットであって、
少なくとも第１のレンズ群及び第２のレンズ群を含むアフォーカル光学系を含み、
前記第１のレンズ群は、前記照明光を平行光束に変換し、且つ、前記照明光を前記第２のレンズ群に入射させることを特徴とする顕微鏡アダプタユニット。
【請求項１０】
請求項１に記載の顕微鏡アダプタユニットにおいて、
前記光源ユニットは、前記光源ユニットと前記顕微鏡本体との間に配置されるファイバとともに用いられる光源ユニットであり、
前記顕微鏡アダプタユニットは、前記ファイバと前記光源ユニットとの間に配置されることを特徴とする顕微鏡アダプタユニット。
【請求項１１】
請求項１０に記載の顕微鏡アダプタユニットにおいて、
前記第１のレンズ群と前記第２のレンズ群の間の距離が変化することを特徴とする顕微鏡アダプタユニット。
【請求項１２】
請求項１１に記載の顕微鏡アダプタユニットにおいて、さらに、
前記第１のレンズ群を含む第１のアダプタと、
前記第２のレンズ群を含む第２のアダプタと、を含み、
前記顕微鏡アダプタユニットは、前記第１のレンズ群と前記第２のレンズ群の間で、前記第１のアダプタと前記第２のアダプタに分割されることを特徴とする顕微鏡アダプタユニット。
【発明の詳細な説明】
【技術分野】
【０００１】
本発明は、照明光路上に配置される顕微鏡アダプタユニットに関する。
【背景技術】
【０００２】
現在、顕微鏡の用途の拡大に伴い、顕微鏡にはさまざまな観察法への対応が求められている。このため、観察法に応じた照明を選択的に実現する顕微鏡が提案されている。
観察法に応じた照明を実現する方法としては、従来から光源ユニットを交換する方法が知られているが、近年では、光源ユニットの交換に加えて、または、光源ユニットを交換することなく、光源ユニットと顕微鏡本体の間に追加的に設けられるユニット（以降、顕微鏡アダプタユニットと記す。）を利用する方法も用いられている。顕微鏡アダプタユニットを利用した顕微鏡は、例えば、特許文献１や特許文献２で開示されている。
【０００３】
特許文献１では、顕微鏡アダプタユニットとして、光源を対物レンズの瞳へ投影する倍率を変更する変倍レンズ部が開示されている。
また、特許文献２では、顕微鏡アダプタユニットとして、照明系の倍率を変更するコンバータレンズを含む顕微鏡の鏡体（顕微鏡本体）に着脱可能なフレームが開示されている。また、顕微鏡アダプタユニットとして、標本の照明に用いる光源ユニットを切り換えるダイクロイックミラーも開示されている。
【先行技術文献】
【特許文献】
【０００４】
【特許文献１】特開平６−２８９３０１号公報
【特許文献２】特開平７−１７４９７５号公報
【発明の概要】
【発明が解決しようとする課題】
【０００５】
ところで、観察法に応じた最適な照明への要求は年々高まり、求められる照明性能も高度化している。このため、要求を満たすために必要とされる光学素子や光学素子を含む光学ユニットの数は増加傾向にあり、顕微鏡アダプタユニットの大型化、特に、顕微鏡アダプタユニットの光軸方向の幅（以降、ユニット長と記す。）の伸長は避けがたい。
【０００６】
その結果、光源ユニットと顕微鏡本体の間の距離も必然的に長くなるが、従来の顕微鏡アダプタユニットでは、光源ユニットと顕微鏡本体の間の距離が過度に延長されると、以下に図１３Ａ及び図１３Ｂを参照して説明されるように、照明光の光量が低下してしまう。
【０００７】
図１３Ａに例示されるように、一般的な顕微鏡１００では、光源１０１から射出された照明光は、コレクタレンズなどからなるコリメート光学系１０２により略平行光束Ｂ１に変換されて、光源ユニット１０３から射出され、すぐに顕微鏡本体１０４に入射する。通常は、光源ユニット１０３と顕微鏡本体１０４の間にユニット長が短い顕微鏡アダプタユニットが追加されても、照明光の光量はほとんど低下しない。
【０００８】
しかしながら、図１３Ｂに例示されるように、光源１０１内の光軸Ｏ上の点から射出された照明光（以下、単に、軸上の照明光と記す。）は、コリメート光学系１０２により光軸Ｏと平行な略平行光束Ｂ１に変換される。これに対して、光源１０１内の光軸Ｏ上ではない点から射出された照明光（以下、単に、軸外の照明光と記す。）は、光軸Ｏに対して傾いた略平行光束Ｂ２に変換される。このため、顕微鏡アダプタユニットが大型化し、光源ユニット１０３と顕微鏡本体１０４の間の距離が長くなると、軸外の照明光の一部Ｘが顕微鏡本体１０４の光学系まで到達できず、照明光の光量が低下する。
【０００９】
以上のような実情を踏まえ、本発明では、光量の損失が抑制された顕微鏡アダプタユニットを提供することを課題とする。
【課題を解決するための手段】
【００１０】
本発明の第１の態様は、光源を含む光源ユニットから標本面に至る照明光の光路中に配置される顕微鏡アダプタユニットであって、少なくとも１つのレンズからなる第１のレンズ群と、少なくとも１つのレンズからなる第２のレンズ群を含み、第１のレンズ群は、照明光を平行光束に変換し、且つ、照明光を第２のレンズ群に入射させ、前記顕微鏡アダプタユニットは、前記光源からの前記照明光を収束または平行にする光学系を備える前記光源ユニットと顕微鏡本体との間に配置され、アフォーカル光学系を含み、前記第１のレンズ群と前記第２のレンズ群の間に、光学素子または光学素子を含む光学ユニットを着脱する顕微鏡アダプタユニットを提供する。
【００１１】
本発明の第２の態様は、第１の態様に記載の顕微鏡アダプタユニットにおいて、第１のレンズ群は、平行光束として顕微鏡アダプタユニットに入射する照明光を、平行光束に変換する顕微鏡アダプタユニットを提供する。
【００１２】
本発明の第３の態様は、第１の態様または第２の態様に記載の顕微鏡アダプタユニットにおいて、第１のレンズ群により平行光束に変換された照明光の光束径は、顕微鏡アダプタユニットへ入射する照明光の光束径、及び、顕微鏡アダプタユニットから射出される照明光の光束径よりも小さい顕微鏡アダプタユニットを提供する。
【００１３】
本発明の第４の態様は、第１の態様乃至第３の態様のいずれか１つに記載の顕微鏡アダプタユニットにおいて、第１のレンズ群と第２のレンズ群の間の距離が変化する顕微鏡アダプタユニットを提供する。
【００１４】
本発明の第５の態様は、第４の態様に記載の顕微鏡アダプタユニットにおいて、さらに、第１のレンズ群を含む第１のアダプタと、第２のレンズ群を含む第２のアダプタと、を含み、顕微鏡アダプタユニットは、第１のレンズ群と第２のレンズ群の間で、第１のアダプタと第２のアダプタに分割される顕微鏡アダプタユニットを提供する。
【００１５】
本発明の第６の態様は、第４の態様に記載の顕微鏡アダプタユニットにおいて、さらに、第１のレンズ群を含む第１のアダプタと、第２のレンズ群を含む第２のアダプタと、第１のアダプタを第２のアダプタに対して相対的に移動させるガイドレールと、を含む顕微鏡アダプタユニットを提供する。
【００１６】
本発明の第７の態様は、第１の態様乃至第６の態様のいずれか１つに記載の顕微鏡アダプタユニットにおいて、アフォーカル光学系は、光源ユニット側から順に、第１のレンズ群に含まれる、正のパワーを有する第３のレンズと、第１のレンズ群に含まれる、負のパワーを有する第１のレンズと、第２のレンズ群に含まれる、負のパワーを有する第２のレンズと、第２のレンズ群に含まれる、正のパワーを有する第４のレンズと、を含む顕微鏡アダプタユニットを提供する。
【００１７】
本発明の第８の態様は、第５の態様に記載の顕微鏡アダプタユニットにおいて、複数の第１のアダプタを含み、第１のアダプタの各々は、それぞれ異なる光源ユニットに装着される顕微鏡アダプタユニットを提供する。
【００１８】
本発明の第９の態様は、光源ユニットから標本面に至る照明光の光路中に配置される顕微鏡アダプタユニットであって、少なくとも第１のレンズ群及び第２のレンズ群を含むアフォーカル光学系を含み、第１のレンズ群は、照明光を平行光束に変換し、且つ、照明光を第２のレンズ群に入射させる顕微鏡アダプタユニットを提供する。
【００１９】
本発明の第１０の態様は、第１の態様に記載の顕微鏡アダプタユニットにおいて、光源ユニットは、光源ユニットと顕微鏡本体との間に配置されるファイバとともに用いられる光源ユニットであり、顕微鏡アダプタユニットは、ファイバと光源ユニットとの間に配置される顕微鏡アダプタユニットを提供する。
【００２０】
本発明の第１１の態様は、第１０の態様に記載の顕微鏡アダプタユニットにおいて、第１のレンズ群と第２のレンズ群の間の距離が変化する顕微鏡アダプタユニットを提供する。
【００２１】
本発明の第１２の態様は、第１１の態様に記載の顕微鏡アダプタユニットにおいて、さらに、第１のレンズ群を含む第１のアダプタと、第２のレンズ群を含む第２のアダプタと、を含み、顕微鏡アダプタユニットは、第１のレンズ群と第２のレンズ群の間で、第１のアダプタと第２のアダプタに分割される顕微鏡アダプタユニットを提供する。
【発明の効果】
【００２２】
本発明によれば、光量の損失が抑制された顕微鏡アダプタユニットを提供することができる。
【図面の簡単な説明】
【００２３】
【図１】実施例１に係る顕微鏡アダプタユニットを含む顕微鏡の構成を例示する概略図である。
【図２】実施例１に係る顕微鏡アダプタユニットの構成を例示する概略断面図である。
【図３Ａ】実施例１に係る顕微鏡アダプタユニットに含まれるアフォーカル光学系及びコリメート光学系の構成を例示する断面図である。
【図３Ｂ】実施例１に係る顕微鏡アダプタユニットに含まれるアフォーカル光学系及びコリメート学系の構成を例示する断面図である。
【図３Ｃ】実施例１に係る顕微鏡アダプタユニットに含まれるアフォーカル光学系及びコリメート光学系の構成を例示する断面図である。
【図４】実施例２に係る顕微鏡アダプタユニットの構成を例示する概略断面図である。
【図５】実施例３に係る顕微鏡アダプタユニットを含む顕微鏡の構成を例示する概略図である。
【図６】実施例４に係る顕微鏡アダプタユニットを含む顕微鏡の構成の一部を例示する概略図である。
【図７】実施例５に係る顕微鏡アダプタユニットを含む顕微鏡の構成の一部を例示する概略図である。
【図８】光源ユニットとファイバの間での光量損失について説明するための図である。
【図９Ａ】光源ユニットとファイバの間での光量損失について説明するための図である。
【図９Ｂ】光源ユニットとファイバの間での光量損失について説明するための図である。
【図１０】実施例６に係る顕微鏡アダプタユニットを含む顕微鏡の構成の一部を例示する概略図である。
【図１１】参考例７に係る顕微鏡アダプタユニットを含む顕微鏡の構成の一部を例示する概略図である。
【図１２】参考例８に係る顕微鏡アダプタユニットを含む顕微鏡の構成の一部を例示する概略図である。
【図１３Ａ】従来技術に係る顕微鏡の構成を例示した図である。
【図１３Ｂ】従来技術に係る顕微鏡の構成を例示した図である。
【発明を実施するための形態】
【００２４】
以下、図面を参照しながら、各実施例について説明する。
【実施例１】
【００２５】
図１は、本実施例に係る顕微鏡アダプタユニットを含む顕微鏡の構成を例示する概略図である。まず、図１に例示される顕微鏡１の構成と作用について簡単に説明する。
図１に例示される顕微鏡１は、光源ユニット２と、顕微鏡本体３と、光源ユニット２と顕微鏡本体３の間に配置される顕微鏡アダプタユニット４と、を含んでいる。光源ユニット２は、光源ＬＳとコリメート光学系ＣＬを含み、顕微鏡アダプタユニット４は、アフォーカル光学系ＡＦを含んでいる。
【００２６】
光源ＬＳから射出された照明光は、コリメート光学系ＣＬにより略平行光束（軸上の略平行光束Ｂ１、軸外の略平行光束Ｂ２）に変換されて、光源ユニット２から射出される。光源ユニット２から射出されて顕微鏡アダプタユニット４に略平行光束として入射した照明光は、顕微鏡アダプタユニット４内のアフォーカル光学系を介して、同じく略平行光束として顕微鏡本体３へ射出される。略平行光束として顕微鏡本体３に入射した照明光は、顕微鏡本体３内の光学系を経由して、対物レンズＯＢの瞳近傍に集光し、対物レンズＯＢにより標本面ＳＰに照射される。
【００２７】
なお、図１では、光源ユニット２と顕微鏡本体３の間に顕微鏡アダプタユニット４を配置する例が示されているが、特にこれに限られない。顕微鏡アダプタユニット４は、光源ユニット２から標本面ＳＰに至る照明光の光路中に配置されていればよく、より厳密には、光源ユニット２の光学系と顕微鏡本体３の光学系の間であって照明光が略平行光束である照明光路上であればよい。
【００２８】
また、顕微鏡１として正立顕微鏡が例示されているが、顕微鏡１は倒立顕微鏡であってもよい。また、顕微鏡１の照明系として落射照明系が例示されているが、顕微鏡１の照明系は透過照明系であってもよい。
【００２９】
次に、本実施例に係る顕微鏡アダプタユニット４について、更に詳細に説明する。
顕微鏡アダプタユニット４に含まれるアフォーカル光学系ＡＦは、複数のレンズ（顕微鏡本体３側から順に、レンズＬ１、レンズＬ２、レンズＬ３、レンズＬ４）から構成されていて、レンズ間の少なくとも１つで略平行光束を生成する。つまり、アフォーカル光学系ＡＦは、少なくとも、照明光を略平行光束に変換する第１のレンズと、第１のレンズからの照明光が入射する第２のレンズを含んでいて、第１のレンズが、照明光を略平行光束に変換して、第２のレンズに入射させるように構成されている。なお、図１に例示される顕微鏡アダプタユニット４では、レンズＬ３が第１のレンズとして機能し、レンズＬ２が第２のレンズとして機能している。
【００３０】
なお、顕微鏡アダプタユニット４は、レンズＬ３及びレンズＬ４からなるレンズ群（第１のレンズ群）とレンズＬ１及びレンズＬ２からなるレンズ群（第２のレンズ群）の２つのレンズ群を含むアフォーカル光学系を備え、第１のレンズ群が、照明光を略平行光束に変換して、第２のレンズ群に入射させることで、このレンズ群の間の光束が略平行光束となっているということもできる。
【００３１】
顕微鏡アダプタユニット４内で略平行光束を生成することで、顕微鏡アダプタユニット４内に、光学素子及び／又は光学素子を含む光学ユニットを配置する空間を確保するために、ユニット長を伸張する必要がある場合でも、略平行光束が通過するレンズ間（つまり、レンズＬ３とレンズＬ２の間）の距離を伸ばすことでビネッティングロスを抑えることができる。このため、照明光の光量の低下を抑制しながら、所望の照明を実現する顕微鏡アダプタユニット４を提供することができる。
【００３２】
光学素子及び／又は光学ユニットは、顕微鏡アダプタユニット４内の略平行光束中（つまり、レンズＬ３とレンズＬ２の間）に着脱可能に配置されるが、一般に、光学フィルタは平行光束中で最も良好な光学性能を示す。このため、顕微鏡アダプタユニット４内で略平行光束を生成することは、光学素子及び／又は光学ユニットが光学フィルタを含む場合には、光学フィルタの性能を十分に発揮させることができる点でも望ましい。
【００３３】
また、アフォーカル光学系ＡＦは、図１に例示されるように、レンズＬ３により略平行光束に変換された照明光の光束径が、顕微鏡アダプタユニット４へ入射する照明光の光束径、及び、顕微鏡アダプタユニット４から射出される照明光の光束径よりも小さくなるように、構成されることが望ましい。
【００３４】
照明光の光束径を小さくすることは、光学素子や光学ユニットとして、フィルタ径の小さな光学フィルタを用いることができる点でも望ましい。
さらに、顕微鏡アダプタユニット４は、図１に例示されるように、レンズＬ３とレンズＬ２の間の距離が変化するように構成されてもよい。
【００３５】
これにより、顕微鏡アダプタユニット４は、レンズＬ３とレンズＬ２の間の距離を必要最小限に抑えながら、レンズＬ３とレンズＬ２の間に、光学素子及び／又は光学ユニットを着脱することができる。従って、照明光の光量の低下を最小限に抑制しながら、所望の照明を実現する顕微鏡アダプタユニット４を提供することができる。
【００３６】
なお、顕微鏡アダプタユニット４内に光学素子や光学ユニットを配置する空間を確保するために、レンズＬ３とレンズＬ２の間の距離は予め長く設計されてもよい。
図２は、本実施例に係る顕微鏡アダプタユニットの構成を例示する概略断面図である。図２では、図１に例示される顕微鏡アダプタユニット４が示されている。
【００３７】
顕微鏡アダプタユニット４は、光源ユニット２側から順に、正のパワーを有するレンズＬ４と、負のパワーを有するレンズＬ３と、を含む第１のアダプタであるアダプタ４ａと、負のパワーを有するレンズＬ２と、正のパワーを有するレンズＬ１と、を含む第２のアダプタであるアダプタ４ｂと、を含み、略平行光束が通過するレンズＬ３とレンズＬ２の間で、アダプタ４ａとアダプタ４ｂに分割されている。アダプタ４ａは、レンズＬ３及びレンズＬ４を固定する筒状のフレーム５を含み、アダプタ４ｂは、レンズＬ１及びレンズＬ２を固定する筒状のフレーム６を含んでいる。
【００３８】
アダプタ４ａ及びアダプタ４ｂは、それぞれ光源ユニット２側に凹部を有し、顕微鏡本体３側に凸部を有している。アダプタ４ａの凹部は、アダプタ４ｂの凹部と同形状であり、且つ、顕微鏡本体３の不図示の凹部とも同形状である。アダプタ４ａの凸部は、アダプタ４ｂの凸部と同形状であり、光源ユニット２の不図示の凸部とも同形状である。このため、顕微鏡アダプタユニット４は、光源ユニット２に設けられた顕微鏡本体３の取り付け部（凸部）にアダプタ４ａを、顕微鏡本体３に設けられた光源ユニット２の取り付け部（凹部）にアダプタ４ｂを、容易に取り付けることができる。
【００３９】
また、凹部の内径と凸部の外径は、いずれも光学素子または光学ユニットの標準的なまたは標準化された径Ｄ１に等しい。このため、顕微鏡アダプタユニット４は、アダプタ４ａとアダプタ４ｂの間に、つまり、レンズＬ３とレンズＬ２の間に、必要に応じて既存の光学素子及び／又は光学ユニットを容易に着脱することができる。
【００４０】
また、顕微鏡アダプタユニット４では、アダプタ４ａとアダプタ４ｂが完全に分割されているため、装着することができる光学素子及び／又は光学ユニットの数についての構造的な制限はない。このため、必要数の光学素子及び／又は光学ユニットを装着することが可能であり、顕微鏡１に高い拡張性を提供することをできる。
【００４１】
なお、図２では、光源側から、正、負、負、正のパワーを有するレンズを含むアフォーカル光学系ＡＦが例示されているが、特にこれに限られない。顕微鏡アダプタユニットは、光源側から、正、正、正、正のパワーを有するレンズを含むアフォーカル光学系を含み、光源側から２つ目と３つ目のレンズの間に略平行光束を生成してもよい。
【００４２】
ただし、正のパワーのレンズのみからなる構成の場合、図２に例示される構成に比べて、アフォーカル光学系の全長が長くなりやすい。また、光源側の２つのレンズ間と顕微鏡本体側の２つのレンズ間にそれぞれ光源の中間像が形成されるため、収差補正の観点での制約が厳しい。さらに、略平行光束を生成するために中間像位置を挟んで対抗するレンズ間の距離を厳密に設定する必要があるため、高精度なレンズの位置決めが必要となる。このため、アフォーカル光学系ＡＦのパワー構成は、図２に例示される、正、負、負、正の構成がより望ましい。
【００４３】
図３Ａ、図３Ｂ、図３Ｃは、本実施例に係る顕微鏡アダプタユニットに含まれるアフォーカル光学系及びコリメート光学系の構成を例示する断面図であり、それぞれレンズＬ３とレンズＬ２の間の距離が異なる状態を例示している。
【００４４】
図３Ａから図３Ｃでは、顕微鏡本体３側から順に、正のパワーを有するレンズＬ１と、負のパワーを有するレンズＬ２と、負のパワーを有するレンズＬ３と、正のパワーを有するレンズＬ４とからなるアフォーカル光学系ＡＦと、レンズＬ５及びコレクタレンズであるレンズＬ６とからなるコリメート光学系ＣＬが例示されている。
【００４５】
アフォーカル光学系ＡＦ及びコリメート光学系ＣＬのレンズデータは以下のとおりである。なお、ここで、sは面番号を、rは曲率半径（ｍｍ）を、dは面間隔（ｍｍ）を、ndはｄ線に対する屈折率を、vdはｄ線に対するアッベ数を示す。また、面番号９が示す面は、レンズＬ２とレンズＬ３の中間位置を示す仮想的な面を示し、面番号０が示す面は、光源ＬＳの面を示している。
【００４６】
アフォーカル光学系ＡＦ及びコリメート光学系ＣＬ
s          r            d          nd          vd
0         INF        12.6256      1.0
1       50.8207      18.0000      1.52191    64.14   
2*     -11.9126      28.8025      1.0                 
3     -201.5701       3.1000      1.60619    39.29   
4      149.9947      10.0000      1.0                 
5       26.7000       5.3500      1.51633    64.14   
6       58.1200      12.0000      1.0                 
7      -37.3000       3.5000      1.51633    64.14   
8         INF         Da          1.0                 
9         INF         Da          1.0                 
10         INF         3.5000      1.51633    64.14   
11       37.3000      12.0000      1.0                 
12      -58.1200       5.3500      1.51633    64.14   
13      -26.7000        INF        1.0       
【００４７】
非球面の式は、以下のように表される。ここで、Ｒ０は近軸の曲率半径、Ｋはコーニック（円錐）定数、Ａ２は２次の非球面係数、Ａ４は４次の非球面係数、Ａ６は６次の非球面係数、Ａ８は８次の非球面係数、Ａ１０は１０次の非球面係数である。
【００４８】
【数１】
0005646278.tif 000002
【００４９】
面番号２が示す面は非球面であり、コーニック定数及び非球面係数は以下のとおりである。
K=-0.6751, A2=0, A4=2.3957×10-6, A6=-3.5058×10-8, A8=-2.7577×10-10, A10=0
【００５０】
また、距離Daは、可変量であり、レンズＬ２とレンズＬ３のレンズ間隔の半分の距離を示している。図３Ａ、図３Ｂ、図３Ｃでは、距離Daはそれぞれ、３ｍｍ、２０ｍｍ、４０ｍｍであり、レンズＬ２とレンズＬ３のレンズ間隔はそれぞれ、６ｍｍ、４０ｍｍ、８０ｍｍである。
【００５１】
以上、本実施例によれば、光量の損失が抑制された顕微鏡アダプタユニットを提供することができる。また、本実施例に係る顕微鏡アダプタユニット４では、レンズＬ２とレンズＬ３のレンズ間隔を大きく延長した伸ばした場合、例えば８０ｍｍ程度まで伸ばした場合であっても、顕微鏡アダプタユニット４で生じる光量損失を十分に抑えることができる。このため、所望の光学素子及び／又は光学ユニットをレンズＬ２及びレンズＬ３の間に装着することが可能であり、所望の照明を実現する顕微鏡アダプタユニットを提供することができる。
【実施例２】
【００５２】
図４は、本実施例に係る顕微鏡アダプタユニットの構成を例示する概略断面図である。なお、本実施例に係る顕微鏡アダプタユニット７は、実施例１に係る顕微鏡アダプタユニット４の代わりに、図１に例示される顕微鏡１に含まれてもよい。
【００５３】
図４に例示される顕微鏡アダプタユニット７は、光源ユニット側から順に、正のパワーを有するレンズＬ４と、負のパワーを有するレンズＬ３と、を含む第１のアダプタであるアダプタ７ａと、負のパワーを有するレンズＬ２と、正のパワーを有するレンズＬ１と、を含む第２のアダプタであるアダプタ７ｂとを含み、さらに、アダプタ７ａをアダプタ７ｂに対して相対的に移動させるガイドレール１０を含んでいる。アダプタ７ａは、レンズＬ３及びレンズＬ４を固定する筒状のフレーム８を含み、アダプタ７ｂは、レンズＬ１及びレンズＬ２を含む筒状のフレーム９を含んでいる。
【００５４】
本実施例に係る顕微鏡アダプタユニット７は、ガイドレール１０を含む点、及び、フレーム８の顕微鏡本体側の側面とフレーム９の光源ユニット側の側面がそれぞれ平面である点が、実施例１に係る顕微鏡アダプタユニット４と異なっている。
【００５５】
顕微鏡アダプタユニット７のその他の構成は、実施例１に係る顕微鏡アダプタユニット４と同様である。例えば、レンズＬ３が照明光を略平行光束に変換してレンズＬ２に入射させる点、レンズＬ３とレンズＬ２の間の距離が変化しうる点、レンズＬ３とレンズＬ２の間に光学素子及び／又は光学ユニットを着脱できる点も、実施例１に係る顕微鏡アダプタユニット４と同様である。
【００５６】
以上、本実施例によっても、光量の損失が抑制された顕微鏡アダプタユニットを提供することができる。また、所望の光学素子及び／又は光学ユニットをレンズＬ２及びレンズＬ３の間に装着することで、所望の照明を実現する顕微鏡アダプタユニットを提供することができる。
【００５７】
さらに、顕微鏡アダプタユニット７では、実施例１に係る顕微鏡アダプタユニット４と異なり、フレームの側面が平面であるため、レンズＬ３とレンズＬ２の間に着脱される光学素子及び／又は光学ユニットの形状が制限されない。このため、顕微鏡アダプタユニット７は、さらに高い汎用性を実現することができる。
【００５８】
また、顕微鏡アダプタユニット７では、アダプタ７ａ及びアダプタ７ｂは、ガイドレール１０に沿って光軸方向に相対的に移動するため、任意の形状の光学素子または光学ユニットを装着した際に生じうる光軸のずれも防止することができる。
【実施例３】
【００５９】
図５は、本実施例に係る顕微鏡アダプタユニットを含む顕微鏡の構成を例示する概略図である。
図５に例示される顕微鏡１１は、光源ユニット２（光源ユニット２ａ、光源ユニット２ｂ、光源ユニット２ｃ）と、顕微鏡本体３と、光源ユニット２と顕微鏡本体３の間に配置された顕微鏡アダプタユニット１２と、を含んでいる。
【００６０】
本実施例に係る顕微鏡１１は、複数の光源ユニット２（光源ユニット２ａ、光源ユニット２ｂ、光源ユニット２ｃ）を含む点が、実施例１に係る顕微鏡１と異なっている。それに伴い、顕微鏡アダプタユニット１２の構成も、実施例１に係る顕微鏡アダプタユニット４とは、異なっている。
【００６１】
顕微鏡アダプタユニット１２は、顕微鏡本体３と各光源ユニット２間のそれぞれに、内部で略平行光束を生成するアフォーカル光学系と、光学ユニットを含んでいる。以下、顕微鏡本体３と各光源ユニット２との間の構成のそれぞれについて具体的に説明する。
【００６２】
まず、光源ユニット２ａと顕微鏡本体３の間の構成に着目すると、顕微鏡アダプタユニット１２は、アダプタ１２ａと光学ユニット１３ａと光学ユニット１３ｅと光学ユニット１３ｄとアダプタ１２ｄを含んでいる。
【００６３】
光源ユニット２ａに装着されるアダプタ１２ａは、少なくとも光源ユニット２ａからの照明光を略平行光束に変換するレンズを含み、略平行光束を射出する。アダプタ１２ａの構成は、例えば、図１に例示されるアダプタ４ａと同様の構成である。顕微鏡本体３に装着されるアダプタ１２ｄは、略平行光束が入射するレンズを含んでいる。アダプタ１２ｄの構成は、例えば、図１に例示されるアダプタ４ｂと同様の構成である。また、アダプタ１２ａ及びアダプタ１２ｄは、全体でアフォーカル光学系として機能し、光源ユニット２ａから射出される略平行光束を略平行光束として顕微鏡本体３へ入射させる。
【００６４】
また、略平行光束が通過するアダプタ１２ａとアダプタ１２ｄの間には、光学ユニット１３ａ、光学ユニット１３ｅ、光学ユニット１３ｄが着脱可能に含まれていて、それによって所望の照明が実現されている。例えば、光学ユニット１３ａ及び光学ユニット１３ｄは、光学フィルタを含み、光学ユニット１３ｅは、ダイクロイックミラーを含んでもよい。
【００６５】
次に、光源ユニット２ｂと顕微鏡本体３の間の構成に着目すると、顕微鏡アダプタユニット１２は、アダプタ１２ｂと光学ユニット１３ｂと光学ユニット１３ｃと光学ユニット１３ｅと光学ユニット１３ｄとアダプタ１２ｄを含んでいる。
【００６６】
光源ユニット２ｂに装着されるアダプタ１２ｂは、少なくとも光源ユニット２ｂからの照明光を略平行光束に変換するレンズを含み、略平行光束を射出する。アダプタ１２ｂの構成は、例えば、図１に例示されるアダプタ４ａと同様の構成である。また、アダプタ１２ｂ及びアダプタ１２ｄは、全体でアフォーカル光学系として機能し、光源ユニット２ｂから射出される略平行光束を略平行光束として顕微鏡本体３へ入射させる。
【００６７】
また、略平行光束が通過するアダプタ１２ｂとアダプタ１２ｄの間には、光学ユニット１３ｂ、光学ユニット１３ｃ、光学ユニット１３ｅ、光学ユニット１３ｄが着脱可能に含まれていて、それによって所望の照明が実現されている。例えば、光学ユニット１３ｄは、光学フィルタを含み、光学ユニット１３ｃ及び光学ユニット１３ｅは、ダイクロイックミラーを含んでもよい。また、光学ユニット１３ｂは、光学フィルタと光束径を変換させる機能をもつコンバージョンレンズを含んでもよい。
【００６８】
さらに、光源ユニット２ｃと顕微鏡本体３の間の構成に着目すると、顕微鏡アダプタユニット１２は、アダプタ１２ｃと光学ユニット１３ｃと光学ユニット１３ｅと光学ユニット１３ｄとアダプタ１２ｄを含んでいる。
【００６９】
光源ユニット２ｃに装着されるアダプタ１２ｃは、少なくとも光源ユニット２ｃからの照明光を略平行光束に変換するレンズを含み、略平行光束を射出する。アダプタ１２ｃの構成は、例えば、図１に例示されるアダプタ４ａと同様の構成である。また、アダプタ１２ｃ及びアダプタ１２ｄは、全体でアフォーカル光学系として機能し、光源ユニット２ｃから射出される略平行光束を略平行光束として顕微鏡本体３へ入射させる。
【００７０】
また、略平行光束が通過するアダプタ１２ｃとアダプタ１２ｄの間には、光学ユニット１３ｃ、光学ユニット１３ｅ、光学ユニット１３ｄが着脱可能に含まれていて、それによって所望の照明が実現されている。例えば、光学ユニット１３ｄは、光学フィルタを含み、光学ユニット１３ｃ及び光学ユニット１３ｅは、ダイクロイックミラーを含んでもよい。
【００７１】
以上、本実施例によっても、光量の損失が抑制された顕微鏡アダプタユニットを提供することができる。また、所望の光学素子及び／又は光学ユニットを装着することが可能であり、所望の照明を実現する顕微鏡アダプタユニットを提供することができる。
【００７２】
さらに、顕微鏡アダプタユニット１２では、実施例１に係る顕微鏡アダプタユニット４と異なり、複数の光源ユニット２から射出される照明光を、同時にまたは選択的に顕微鏡本体３へ導くことができる。
【００７３】
なお、図５で例示されるように、複数の光源ユニット２を含む構成では、複数の光源ユニット２からの照明光を顕微鏡本体３に導くためにダイクロイックミラーなどの光路分割素子が必要となる。このため、通常、光源ユニット２が一つだけの構成に比べて、光源ユニット２と顕微鏡本体３の間の距離が長くなる。従って、光源ユニット２と顕微鏡本体３の間の距離が長くしても光量の損失を十分に抑制することができる本実施例に係る顕微鏡アダプタユニット１２は、複数の光源ユニット２を含む構成に対して好適である。
【実施例４】
【００７４】
図６は、本実施例に係る顕微鏡アダプタユニットを含む顕微鏡の構成の一部を例示する概略図である。図６に例示される顕微鏡１４は、光源ユニット１５と、ファイバＦＢと、顕微鏡アダプタユニット１６と、不図示の顕微鏡本体とを含んでいる。なお、顕微鏡１４の顕微鏡本体は、図１に例示される実施例１に係る顕微鏡１の顕微鏡本体３と同様である。  
【００７５】
光源ユニット１５は、ファイバＦＢとともに用いられる光源ユニットであり、光源ＬＳと、光源ＬＳからの照明光を収束させる光学系である楕円ミラーＥＭを含んでいる。
顕微鏡アダプタユニット１６は、光源ユニット１５に接続されたファイバＦＢと顕微鏡本体の間に配置されていて、光源ユニット側から順に、レンズＬ１５、レンズＬ１４、及びレンズＬ１３からなる第１のレンズ群と、レンズＬ１２及びレンズＬ１１からなる第２のレンズ群と、を含んでいる。
【００７６】
レンズＬ１５は、ファイバＦＢから射出された照明光を略平行光束に変換するレンズであり、レンズＬ１４、レンズＬ１３、レンズＬ１２、及びレンズＬ１１は、アフォーカル光学系ＡＦとして構成されている。
【００７７】
さらに、顕微鏡アダプタユニット１６は、第１のレンズ群を含むアダプタ１６ａと、第２のレンズ群を含むアダプタ１６ｂとを含んでいて、第１のレンズ群と第２のレンズ群の間で、アダプタ１６ａとアダプタ１６ｂに分割されている。また、顕微鏡アダプタユニット１６は、アダプタ１６ａとアダプタ１６ｂの間に光学素子又は光学素子を含む光学ユニットを着脱することが可能であり、アダプタ１６ａとアダプタ１６ｂの間の距離を変化することもできる。
【００７８】
光源ＬＳから射出される照明光は、楕円ミラーＥＭによりファイバＦＢの入射端に集光されて、ファイバＦＢの射出端から発散光束として射出される。顕微鏡アダプタユニット１６へ発散光束として入射する照明光は、第１のレンズ群により略平行光束に変換されて、第２のレンズ群に入射する。
【００７９】
より具体的には、まず、照明光は、レンズＬ１５により略平行光束に変換されて、レンズＬ１４及びレンズＬ１３により光束径のより細い略平行光束に変換される。さらに、レンズＬ１２及びレンズＬ１１により、顕微鏡本体が要求する光束径の略平行光束に変換されて、顕微鏡アダプタユニット１６から射出される。
【００８０】
以上のように、顕微鏡アダプタユニット１６は、第１のレンズ群が照明光を略平行光束に変換して、第２のレンズ群に入射させるように構成されている点については、実施例１に係る顕微鏡アダプタユニット４と同様である。
【００８１】
従って、本実施例によれば、ファイバＦＢとともに用いられる光源ユニットを含む顕微鏡に利用される場合であっても、実施例１に係る顕微鏡アダプタユニット４と同様の効果を有する顕微鏡アダプタユニットを提供することができる。
【００８２】
具体的には、光学素子及び／又は光学素子を含む光学ユニットを配置する空間を確保するために、ユニット長を伸張する必要がある場合でも、ビネッティングロスを抑えることができる。このため、照明光の光量の低下を抑制しながら、所望の照明を実現することができる。
【００８３】
また、顕微鏡アダプタユニット１６へ入射時の光束径及び射出時の光束径に比べて、第１のレンズ群から射出される略平行光束の光束径が細いため、より高い光量損失の抑制効果を得ることができる。また、比較的小さな光学素子や光学ユニットを用いることができる。
【００８４】
また、光学素子又は光学ユニットには略平行光束が入射するため、光学素子又は光学ユニットの性能を十分に発揮させることができる。
【実施例５】
【００８５】
図７は、本実施例に係る顕微鏡アダプタユニットを含む顕微鏡の構成の一部を例示する概略図である。図７に例示される顕微鏡１７は、顕微鏡アダプタユニット１６の代わりに、顕微鏡アダプタユニット１８を含む点が、図６に例示される実施例４に係る顕微鏡１４と異なっている。
【００８６】
顕微鏡アダプタユニット１８は、光源ユニット１５に接続されたファイバＦＢと顕微鏡本体の間に配置されていて、光源ユニット側から順に、レンズＬ１７及びレンズＬ１６からなる第１のレンズ群と、レンズＬ１２及びレンズＬ１１からなる第２のレンズ群と、を含んでいる。
【００８７】
さらに、顕微鏡アダプタユニット１８は、第１のレンズ群を含むアダプタ１８ａと、第２のレンズ群を含むアダプタ１８ｂと、を含んでいて、第１のレンズ群と第２のレンズ群の間で、アダプタ１８ａとアダプタ１８ｂに分割されている。また、顕微鏡アダプタユニット１８は、アダプタ１８ａとアダプタ１８ｂの間に光学素子又は光学素子を含む光学ユニットを着脱することが可能であり、アダプタ１８ａとアダプタ１８ｂの間の距離を変化することもできる。
【００８８】
即ち、顕微鏡アダプタユニット１８は、第１のレンズ群の構成が顕微鏡アダプタユニット１６と異なる。
顕微鏡アダプタユニット１８の第１のレンズ群は、照明光を、正のパワーを有するレンズＬ１７により収束光束に変換し、負のパワーを有するレンズＬ１６により略平行光束に変換する。このため、顕微鏡アダプタユニット１８の第１のレンズ群は、発散光束として入射する照明光を、略平行光束に変換して、第２のレンズ群に入射させる点では、顕微鏡アダプタユニット１６の第１のレンズ群と同様である。
【００８９】
また、顕微鏡アダプタユニット１８は、入射時の光束径及び射出時の光束径に比べて、第１のレンズ群から射出される略平行光束の光束径が細い点についても、顕微鏡アダプタユニット１６と同様である。
【００９０】
従って、本実施例によれば、実施例４に係る顕微鏡アダプタユニット１６と同様の効果を有する顕微鏡アダプタユニットを提供することができる。
【実施例６】
【００９１】
近年、蛍光観察の分野では、実験の長時間化、励起波長及び観察波長の多様化、多波長での観察の同時性、生体試料へのダメージの軽減などのニーズが高まっている。
実験の長時間化の例としては、細胞を長時間生きたまま培養して、その過程で一定の間隔で画像を取得するといったものが挙げられる。
【００９２】
励起波長及び観察波長の多様化の例としては、異なる励起波長や蛍光波長を選択するためのフィルタを切り換えて利用することで、複数の蛍光色素や蛍光蛋白質で指標化した物質を観察するといったものが挙げられる。
【００９３】
多波長での観察の同時性の例としては、上述のフィルタを高速に切り換えることで、同じ標本内の複数の物質を同時にまたはできる限り短い時間差で観察するといったものが挙げられる。
【００９４】
生体試料へのダメージの軽減の例としては、光量を調整する減光フィルタの切り換えやシャッタの開閉により観察に必要とされる最小限の光を照射することで、過剰な光エネルギーの照射による試料へのダメージを抑制するといったものが挙げられる。
【００９５】
これらのニーズに応えるためには、必要に応じて電動で制御される、フィルタ切り換えユニットやシャッタユニットを用いる必要があるが、これらのユニットを照明光路上に追加すると、光量損失が生じうる。このため、光量損失を抑制するためには、実施例１から実施例５で例示されるような、照明光を略平行光束に変換する第１のレンズ群と、第１のレンズ群で変換された略平行光束が入射する第２のレンズ群とを含む顕微鏡アダプタユニットの利用が非常に有効である。
【００９６】
ところで、フィルタ切り換えユニットやシャッタユニットが動作することにより生じる振動や熱が顕微鏡本体へ伝達されると、観察に悪影響を及ぼすことが知られている。
これらの影響を軽減するためには、光源ユニットとファイバの間に、フィルタ切り換えユニットやシャッタユニットを配置することが有効である。これにより、振動や熱がファイバを介して顕微鏡本体へ伝達されることになるため、熱や振動の伝達が抑制され、上述した悪影響が軽減されることになるからである。従って、上述した顕微鏡アダプタユニットを光源ユニットとファイバの間に配置する構成が好ましい。
【００９７】
なお、図８に例示されるように、光源ユニット１５とファイバＦＢの間にフィルタ切り換えユニットやシャッタユニットを直接的に装着する構成では、ファイバＦＢを最適な位置、即ち、照明光の集光位置に配置することができない。このため、フィルタ切り換えユニットやシャッタユニットを追加することによる生じる光量損失に加えて、ファイバＦＢを最適な位置に配置することができないことによる光量損失も生じてしまう。さらに、光源ユニット１５とファイバＦＢの間に配置するユニット数が多くなるほど、光量損失が大きくなってしまう。
【００９８】
また、図９Ａ及び図９Ｂに例示されるように、移動可能なレンズＬを配置して光源ユニット１５とファイバＦＢの間の距離を可変にすることで、フィルタ切り換えユニットやシャッタユニットを装着するための空間を確保する構成では、光源像の投影倍率の変更により、ファイバに入射し得ない光が生じる。このため、フィルタ切り換えユニットやシャッタユニットを追加することによる生じる光量損失に加えて、光源像の投影倍率の変更による光量損失も生じてしまう。
【００９９】
図８、図９Ａ、及び図９Ｂの例からも明らかなように、光源ユニットとファイバの間にフィルタ切り換えユニットやシャッタユニットを配置する場合には、顕微鏡アダプタユニットを用いることが非常に有効である。顕微鏡アダプタユニットにより光量損失を抑制しながら、顕微鏡体として熱や振動による観察への悪影響を軽減することができるからである。
【０１００】
なお、顕微鏡アダプタユニットを光源ユニットとファイバの間に配置する場合には、顕微鏡アダプタユニットから射出される照明光は顕微鏡本体ではなくファイバに入射する。このため、顕微鏡アダプタユニットは、収束光束として照明光を射出する必要がある。
【０１０１】
以下、光源ユニットとファイバの間に配置される顕微鏡アダプタユニットについて具体的に説明する。
図１０は、本実施例に係る顕微鏡アダプタユニットを含む顕微鏡の構成の一部を例示する概略図である。図１０に例示される顕微鏡１９は、光源ユニット１５と、顕微鏡アダプタユニット２０と、ファイバＦＢと、ファイバＦＢから射出される照明光を略平行光束に変換するコリメート光学系ＣＬと、不図示の顕微鏡本体とを含んでいる。なお、顕微鏡１９の顕微鏡本体は、図１に例示される実施例１に係る顕微鏡１の顕微鏡本体３と同様である。
【０１０２】
光源ユニット１５は、ファイバＦＢとともに用いられる光源ユニットであり、光源ＬＳと、光源ＬＳからの照明光を収束させる光学系である楕円ミラーＥＭを含んでいる。
顕微鏡アダプタユニット２０は、光源ユニット１５とファイバＦＢの間に配置されていて、光源ユニット側から順に、レンズＬ２６、レンズＬ２５、及びレンズＬ２４からなる第１のレンズ群と、レンズＬ２３、レンズＬ２２、及びレンズＬ２１からなる第２のレンズ群と、を含んでいる。
【０１０３】
レンズＬ２６は、光源像から発散光束として入射する照明光を略平行光束に変換するレンズである。レンズＬ２５、レンズＬ２４、レンズＬ２３、及びレンズＬ２２は、アフォーカル光学系ＡＦとして構成されている。レンズＬ２１は、アフォーカル光学系ＡＦから略平行光束として射出される照明光を収束させて、ファイバＦＢの入射端に集光するレンズである。
【０１０４】
さらに、顕微鏡アダプタユニット２０は、第１のレンズ群を含むアダプタ２０ａと、第２のレンズ群を含むアダプタ２０ｂとを含んでいて、第１のレンズ群と第２のレンズ群の間で、アダプタ２０ａとアダプタ２０ｂに分割されている。また、顕微鏡アダプタユニット２０は、アダプタ２０ａとアダプタ２０ｂの間に光学素子又は光学素子を含む光学ユニットを着脱することが可能であり、アダプタ２０ａとアダプタ２０ｂの間の距離を変化することもできる。
【０１０５】
光源ＬＳから射出される照明光は、楕円ミラーＥＭにより一旦光源像を形成し、その後、顕微鏡アダプタユニット２０へ発散光束として入射する。
顕微鏡アダプタユニット２０へ発散光束として入射する照明光は、第１のレンズ群により略平行光束に変換されて、第２のレンズ群に入射する。照明光は、第２のレンズ群により収束光束に変換されて顕微鏡アダプタユニット２０から射出される。
【０１０６】
より具体的には、まず、照明光は、レンズＬ２６により略平行光束に変換されて、レンズＬ２５及びレンズＬ２４により光束径のより細い略平行光束に変換される。さらに、レンズＬ２３及びレンズＬ２２により、より太い略平行光束に変換される。そして、レンズＬ２１により、顕微鏡アダプタユニット２０からファイバＦＢが要求するＮＡで射出される。
【０１０７】
顕微鏡アダプタユニット２０から射出された照明光は、ファイバＦＢの入射端に集光されて、ファイバＦＢ及びコリメート光学系ＣＬを介して、顕微鏡本体へ入射する。
以上のように、顕微鏡アダプタユニット２０は、第１のレンズ群が照明光を略平行光束に変換して、第２のレンズ群に入射させるように構成されている点については、実施例１に係る顕微鏡アダプタユニット４と同様である。
【０１０８】
従って、本実施例によれば、実施例１に係る顕微鏡アダプタユニット４と同様の効果を有する顕微鏡アダプタユニットを提供することができる。
具体的には、光学素子及び／又は光学素子を含む光学ユニットを配置する空間を確保するために、ユニット長を伸張する必要がある場合でも、ビネッティングロスを抑えることができる。このため、照明光の光量の低下を抑制しながら、所望の照明を実現することができる。
【０１０９】
また、顕微鏡アダプタユニット２０へ入射時の光束径及び射出時の光束径に比べて、第１のレンズ群から射出される略平行光束の光束径が細いため、より高い光量損失の抑制効果を得ることができる。また、比較的小さな光学素子や光学ユニットを用いることができる。
【０１１０】
また、光学素子又は光学ユニットには略平行光束が入射するため、光学素子又は光学ユニットの性能を十分に発揮させることができる。
【０１１１】
さらに、本実施例によれば、顕微鏡アダプタユニット２０と顕微鏡本体の間には、ファイバＦＢが配置されているため、顕微鏡アダプタユニット２０内で生じる熱や振動が顕微鏡本体へ伝達しにくい。従って、顕微鏡全体として熱や振動による観察への悪影響を軽減することができる。
［参考例７］
【０１１２】
図１１は、本参考例に係る顕微鏡アダプタユニットを含む顕微鏡の構成の一部を例示する概略図である。図１１に例示される顕微鏡２１は、顕微鏡アダプタユニット２０の代わりに、顕微鏡アダプタユニット２２を含む点が、図１０に例示される実施例６に係る顕微鏡１９と異なっている。
【０１１３】
顕微鏡アダプタユニット２２は、光源ユニット１５とファイバＦＢの間に配置されていて、光源ユニット側から順に、レンズＬ３０及びレンズＬ２９からなる第１のレンズ群と、レンズＬ２８及びレンズＬ２７からなる第２のレンズ群と、を含んでいる。
【０１１４】
さらに、顕微鏡アダプタユニット２２は、第１のレンズ群を含むアダプタ２２ａと、第２のレンズ群を含むアダプタ２２ｂとを含んでいて、第１のレンズ群と第２のレンズ群の間で、アダプタ２２ａとアダプタ２２ｂに分割されている。また、顕微鏡アダプタユニット２２は、アダプタ２２ａとアダプタ２２ｂの間に光学素子又は光学素子を含む光学ユニットを着脱することが可能であり、アダプタ２２ａとアダプタ２２ｂの間の距離を変化することもできる。
【０１１５】
顕微鏡アダプタユニット２２の第１のレンズ群は、照明光を、正のパワーを有するレンズＬ３０より収束光束に変換し、負のパワーを有するレンズＬ２９により略平行光束に変換する。第２のレンズ群は、照明光を、負のパワーを有するレンズＬ２８より発散光束に変換し、正のパワーを有するレンズＬ２７により収束光束に変換し、顕微鏡アダプタユニット２０からファイバＦＢが要求するＮＡで射出する。
【０１１６】
以上のように、顕微鏡アダプタユニット２２は、第１のレンズ群が照明光を略平行光束に変換して、第２のレンズ群に入射させるように構成されている点については、実施例６に係る顕微鏡アダプタユニット２０と同様である。
【０１１７】
また、顕微鏡アダプタユニット２２は、入射時の光束径及び射出時の光束径に比べて、第１のレンズ群から射出される略平行光束の光束径が細い点についても、顕微鏡アダプタユニット２０と同様である。
【０１１８】
従って、本参考例によれば、実施例６に係る顕微鏡アダプタユニット２０と同様の効果を有する顕微鏡アダプタユニットを提供することができる。
また、顕微鏡アダプタユニット２２と顕微鏡本体の間には、ファイバＦＢが配置されているため、顕微鏡アダプタユニット２２内で生じる熱や振動が顕微鏡本体へ伝達しにくい。従って、本参考例によれば、実施例６に係る顕微鏡１９と同様に、顕微鏡全体として熱や振動による観察への悪影響を軽減することができる。
［参考例８］
【０１１９】
図１２は、本参考例に係る顕微鏡アダプタユニットを含む顕微鏡の構成の一部を例示する概略図である。図１２に例示される顕微鏡２３は、顕微鏡アダプタユニット２０の代わりに、顕微鏡アダプタユニット２４を含む点が、図１０に例示される実施例６に係る顕微鏡１９と異なっている。
【０１２０】
顕微鏡アダプタユニット２４は、光源ユニット１５とファイバＦＢの間に配置されていて、光源ユニット側から順に、レンズＬ３２からなる第１のレンズ群と、レンズＬ３１からなる第２のレンズ群と、を含んでいる。
【０１２１】
さらに、顕微鏡アダプタユニット２４は、第１のレンズ群を含むアダプタ２４ａと、第２のレンズ群を含むアダプタ２４ｂとを含んでいて、第１のレンズ群と第２のレンズ群の間で、アダプタ２４ａとアダプタ２４ｂに分割されている。また、顕微鏡アダプタユニット２４は、アダプタ２４ａとアダプタ２４ｂの間に光学素子又は光学素子を含む光学ユニットを着脱することが可能であり、アダプタ２４ａとアダプタ２４ｂの間の距離を変化することもできる。
【０１２２】
顕微鏡アダプタユニット２４の第１のレンズ群は、照明光を、正のパワーを有するレンズＬ３２より略平行光束に変換する。第２のレンズ群は、照明光を、正のパワーを有するレンズＬ２８より収束光束に変換し、顕微鏡アダプタユニット２４からファイバＦＢが要求するＮＡで射出する。
【０１２３】
以上のように、顕微鏡アダプタユニット２４は、第１のレンズ群が照明光を略平行光束に変換して、第２のレンズ群に入射させるように構成されている点については、実施例６に係る顕微鏡アダプタユニット２０と同様である。
【０１２４】
従って、本参考例によれば、実施例６に係る顕微鏡アダプタユニット２０と同様の効果を有する顕微鏡アダプタユニットを提供することができる。
また、顕微鏡アダプタユニット２４と顕微鏡本体の間には、ファイバＦＢが配置されているため、顕微鏡アダプタユニット２４内で生じる熱や振動が顕微鏡本体へ伝達しにくい。従って、本参考例によれば、実施例６に係る顕微鏡１９と同様に、顕微鏡全体として熱や振動による観察への悪影響を軽減することができる。
尚、図面上では、顕微鏡アダプタユニットと他の構成要素の間にスペースが生じているように描かれているものがあるが、実際には、顕微鏡アダプタユニットと他の構成要素は機械的に接続されている。この点は、上述した実施例全体で共通している。
【符号の説明】
【０１２５】
１、１１、１４、１７、１９、２１、２３、１００・・・顕微鏡、２、２ａ、２ｂ、２ｃ、１５、１０３・・・光源ユニット、３、１０４・・・顕微鏡本体、４、７、１２、１６、１８、２０、２２、２４・・・顕微鏡アダプタユニット、４ａ、４ｂ、７ａ、７ｂ、１２ａ、１２ｂ、１２ｃ、１２ｄ、１６ａ、１６ｂ、１８ａ、１８ｂ、２０ａ、２０ｂ、２２ａ、２２ｂ、２４ａ、２４ｂ・・・アダプタ、５、６、８、９・・・フレーム、１０・・・ガイドレール、１３ａ、１３ｂ、１３ｃ、１３ｄ、１３ｅ・・・光学ユニット、１０１、ＬＳ・・・光源、１０２、ＣＬ・・・コリメート光学系、ＡＦ・・・アフォーカル光学系、Ｂ１、Ｂ２・・・平行光束、ＥＭ・・・楕円ミラー、ＦＢ・・・ファイバ、Ｌ１、Ｌ２、Ｌ３、Ｌ４、Ｌ１１、Ｌ１２、Ｌ１３、Ｌ１４、Ｌ１５、Ｌ１６、Ｌ１７、Ｌ２１、Ｌ２２、Ｌ２３、Ｌ２４、Ｌ２５、Ｌ２６、Ｌ２７、Ｌ２８、Ｌ２９、Ｌ３０、Ｌ３１、Ｌ３２、Ｌ・・・レンズ、Ｏ・・・光軸、ＯＢ・・・対物レンズ、ＳＰ・・・標本面
【図３Ａ】
0005646278.tif 000003
【図３Ｂ】
0005646278.tif 000004
【図３Ｃ】
0005646278.tif 000005
【図５】
0005646278.tif 000006
【図６】
0005646278.tif 000007
【図７】
0005646278.tif 000008
【図８】
0005646278.tif 000009
【図９Ａ】
0005646278.tif 000010
【図９Ｂ】
0005646278.tif 000011
【図１０】
0005646278.tif 000012
【図１１】
0005646278.tif 000013
【図１２】
0005646278.tif 000014
【図１３Ａ】
0005646278.tif 000015
【図１】
0005646278.tif 000016
【図２】
0005646278.tif 000017
【図４】
0005646278.tif 000018
【図１３Ｂ】
0005646278.tif 000019